【手続補正書】
【提出日】平成19年3月19日(2007.3.19)
【手続補正１】
【補正対象書類名】特許請求の範囲
【補正対象項目名】全文
【補正方法】変更
【補正の内容】
【特許請求の範囲】
【請求項１】
シートに昇華染料インクを用いて所望の絵柄、図形若しくは画像等を印刷して熱転写シートを形成する工程と、
立体的形状を含む被転写物に前記熱転写シートを重ね合わせる工程と、
重ね合わせた熱転写シートの上から前記被転写物に加熱により前記昇華染料インクが抜ける多孔質の弾性体を被せる工程と、
該多孔質の弾性体を被せた熱転写シートと被転写物を所望の圧力で押圧しながら所望の温度に加熱して前記昇華染料を昇華させることで前記絵柄、図形若しくは画像等を前記被転写物に熱転写させる工程と
を含むことを特徴とする熱転写方法。
【請求項２】
シートに昇華染料インクを用いて所望の絵柄、図形若しくは画像等を印刷して熱転写シートを形成する工程と、
立体的形状を含む被転写物に前記熱転写シートを重ね合わせる工程と、
重ね合わせた熱転写シートの上から前記被転写物に加熱により前記昇華染料インクが抜ける多孔質の弾性体を被せる工程と、
該多孔質の弾性体を被せた熱転写シートと被転写物を所望の圧力で押圧しながら所望の温度に加熱して前記昇華染料を昇華させることで前記被転写物に前記絵柄、図形若しくは画像等が熱転写された転写面を形成する工程と
を含むことを特徴とする被転写物の転写面の形成方法。
【請求項３】
請求項１記載の熱転写方法によって所望の絵柄、図形若しくは画像等が昇華転写された転写面を備えていることを特徴とする被転写物。
【手続補正２】
【補正対象書類名】明細書
【補正対象項目名】発明の名称
【補正方法】変更
【補正の内容】
【発明の名称】熱転写方法、被転写物の転写面の形成方法及び被転写物
【手続補正３】
【補正対象書類名】明細書
【補正対象項目名】０００１
【補正方法】変更
【補正の内容】
【０００１】
本発明は、上下一対の鏝間に配設される被転写物に昇華転写を行う熱転写方法、被転写物の転写面の形成方法及び被転写物に関するものである。
【手続補正４】
【補正対象書類名】明細書
【補正対象項目名】００１５
【補正方法】変更
【補正の内容】
【００１５】
そこで、本発明は以上のような問題に鑑みなされたものであり、その目的は、立体的形状からなる被転写物に温度を均一に加えることができ、昇華転写の際に生じるガスが抜けるとともに、鏝に型を備えている場合であっても該型と被転写物の熱伸縮率の相違を吸収することができ、よって３次元の昇華転写を綺麗に品質よくできる熱転写方法、被転写物の転写面の形成方法及び被転写物を提供することである。
【手続補正５】
【補正対象書類名】明細書
【補正対象項目名】００１６
【補正方法】変更
【補正の内容】
【００１６】
本願請求項１記載の発明に係る熱転写方法は、図面に使用する符号を付して説明すると、「シートに昇華染料インクを用いて所望の絵柄、図形若しくは画像等を印刷して熱転写シートＰを形成する工程と、立体的形状を含む被転写物Ｔに前記熱転写シートＰを重ね合わせる工程と、重ね合わせた熱転写シートＰの上から前記被転写物Ｔに加熱により前記昇華染料インクが抜ける多孔質の弾性体２２を被せる工程と、該多孔質の弾性体２２を被せた熱転写シートＰと被転写物Ｔを所望の圧力で押圧しながら所望の温度に加熱して前記昇華染料を昇華させることで前記絵柄、図形若しくは画像等を前記被転写物Ｔに熱転写させる工程とを含む」ところに特徴を有するものである。
【手続補正６】
【補正対象書類名】明細書
【補正対象項目名】００２０
【補正方法】変更
【補正の内容】
【００２０】
本願請求項２記載の発明に係る被転写物の転写面の形成方法は、「シートに昇華染料インクを用いて所望の絵柄、図形若しくは画像等を印刷して熱転写シートＰを形成する工程と、立体的形状を含む被転写物Ｔに前記熱転写シートＰを重ね合わせる工程と、重ね合わせた熱転写シートＰの上から前記被転写物Ｔに加熱により前記昇華染料インクが抜ける多孔質の弾性体２２を被せる工程と、該多孔質の弾性体２２を被せた熱転写シートＰと被転写物Ｔを所望の圧力で押圧しながら所望の温度に加熱して前記昇華染料を昇華させることで前記被転写物Ｔに前記絵柄、図形若しくは画像等が熱転写された転写面を形成する工程とを含む」ところに特徴を有するものである。
【手続補正７】
【補正対象書類名】明細書
【補正対象項目名】００２３
【補正方法】変更
【補正の内容】
【００２３】
本願請求項３記載の発明に係る被転写物は、「請求項１記載の熱転写方法によって所望の絵柄、図形若しくは画像等が昇華転写された転写面を備えている」ところに特徴を有するものである。
【手続補正８】
【補正対象書類名】明細書
【補正対象項目名】００２４
【補正方法】変更
【補正の内容】
【００２４】
多孔質の弾性体２２は、特にシリコンフォームが好ましい。シリコンフォームは、上述の昇華転写に好適な弾力性、通気性、耐熱性を有するとともに更に適度な柔らかさを有するので、加熱加圧の際、弾性体２１がつぶれて被転写物Ｔの凹凸面に隅々まで密着するので、被転写物Ｔの形状が立体的であると平面的であるとに関わらず圧力が均一に加わるとともに熱が均一に伝達され更に効果的である。
【手続補正９】
【補正対象書類名】明細書
【補正対象項目名】００２５
【補正方法】変更
【補正の内容】
【００２５】
本願請求項１記載の発明に係る熱転写方法によれば、上記のような構成であるから、被転写物に、多孔質の弾性体を介在させて緩く均一に圧力を加え、熱も伝えて綺麗に熱転写させることができる。特に被転写物に弾力性を持たせて密着でき、立体的形状の被転写物に温度を均一に加えることができ、昇華転写の際に昇華染料のガスが抜けるとともに、鏝に型を備えている場合であっても該型と被転写物の熱伸縮率の相違を吸収することができるので、被転写物の転写後の絵柄に「ズレ」、「にじみ」が生じたり、絵柄が「ぼける」という不具合の発生を防止でき、３次元の昇華転写を綺麗に品質よくできる昇華転写することができるという効果を奏する。
【手続補正１０】
【補正対象書類名】明細書
【補正対象項目名】００２６
【補正方法】変更
【補正の内容】
【００２６】
本願請求項２記載の発明に係る被転写物の転写面の形成方法によれば、上記のような構成であるから、熱転写の際に被転写物に弾性体を介して弾力性を持たせて密着でき、熱を弾性体を介して緩やかに伝達させて緩く熱転写でき、立体的形状の被転写物の場合にも温度を均一に加えることができ、昇華転写の際にガスが抜けるとともに、鏝に型を備えている場合であっても該型と被転写物の熱伸縮率の相違を吸収することができ、被転写物に圧力及び熱を均一に加えることができるので、被転写物の転写後の絵柄に「ズレ」、「にじみ」が生じたり、絵柄が「ぼける」という不具合の発生を防止でき、３次元の昇華転写を綺麗に品質よくできる昇華転写することができる。
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】変更
【補正の内容】
【００２８】
以下に本発明を実施するための最良の形態を図面を用いて説明するが、本発明の趣旨を越えない限り何ら以下の例に限定されるものではない。本発明に係る熱転写方法、被転写物の転写面の形成方法及び被転写物及びこれに用いられるプレス機について図１又は２を参照して説明する。図１は該プレス機の一実施例を示す正面図である。図２は該実施例のプレス機の側面図である。